(57)【要約】デジタルスチル写真を見るための方法が提供される。本方法は、デジタルスチル写真を表し、写真が撮影された時間又は写真が撮影された位置をそれぞれ示すタイムスタンプ及びロケーションスタンプの少なくとも１つを有する少なくとも１つのデジタルデータファイルを入力し、デジタルスチル写真を表示し、タイムスタンプ及びロケーションスタンプの少なくとも１つに基づいて環境の特徴を変更することを含んでいる。
2007502035.tif 000002
【特許請求の範囲】
【請求項１】
デジタルスチル写真を見るための装置であって、
デジタルスチル写真を表し、該写真が撮影された時間又は該写真が撮影された場所をそれぞれ示すタイムスタンプ及びロケーションスタンプの少なくとも１つを有する少なくとも１つのデジタルデータを入力するデータ入力手段と、
前記デジタルスチル写真を表示するためのディスプレイと、
前記少なくとも１つのデジタルデータファイルを対応するデジタルスチル写真を前記ディスプレイでレンダリングするために前記ディスプレイに入力するデジタルスチル写真と、
前記タイムスタンプ及びロケーションスタンプの少なくとも１つに基づいて環境の特性を変更するための環境変更手段と、
を有することを特徴とする装置。
【請求項２】
前記データ入力手段は、メディアドライブに含まれるメディアから前記少なくとも１つのデジタルデータファイルを読み出すためのメディアドライブである、
請求項１記載の装置。
【請求項３】
前記メディアドライブは、コンパクトディスクプレーヤ、ＤＶＤプレーヤ、フロッピー（登録商標）ドライブ、及びデジタルメディアカードリーダのうちの１つである、
請求項２記載の装置。
【請求項４】
前記データ入力手段は、ネットワーク、ストレージデバイス、及びデジタルスチルカメラのうちの１つに作用的に接続されるモデムを含む、
請求項１記載の装置。
【請求項５】
前記データ入力手段は、ネットワーク、ストレージデバイス、及びデジタルスチルカメラを通して作用的に接続されるコネクタを含む、
請求項１記載の装置。
【請求項６】
前記データ入力手段は、ネットワーク、ストレージデバイス及びデジタルスチルカメラのうちの１つに無線で接続されるコネクタを含む、
請求項１記載の装置。
【請求項７】
前記環境変更手段は照明システムを含み、前記環境特性は、前記ディスプレイに近い領域における環境照明を含む、
請求項１記載の装置。
【請求項８】
前記照明システムは、前記デジタル写真が撮影された時間及び前記デジタル写真が撮影された場所の少なくとも１つに関する照明の特性を再生するために環境照明を変える、
請求項７記載の装置。
【請求項９】
前記環境変更手段は、オーディオレンダリングシステム及び該オーディオレンダリングシステムに作用的に接続される少なくとも１つのスピーカを含み、前記環境特性は、前記ディスプレイの近くの領域における再生音声を含む、
請求項１記載の装置。
【請求項１０】
前記再生音声は、前記デジタル写真が撮影された時間及び前記デジタル写真が撮影された場所の少なくとも１つの特性である、
請求項９記載の装置。
【請求項１１】
前記ディスプレイの近くの領域における少なくとも１つの他のディスプレイを更に有し、前記環境の特性は、少なくとも１つの他のディスプレイを含む、
請求項１記載の装置。
【請求項１２】
前記少なくとも１つの他のディスプレイは、前記デジタル写真が撮影された時間での履歴となる期間を表す、
請求項１１記載の装置。
【請求項１３】
前記少なくとも１つの他のディスプレイの表示は、前記デジタル写真が撮影された地理的な場所を表す、
請求項１１記載の装置。
【請求項１４】
前記環境変更手段は、前記少なくとも１つの他のディスプレイ、及び当該装置に作用的に接続されるスピーカでの音声による広告又は画像による広告に少なくとも１つを生成するための広告生成手段を有する、
請求項１１記載の装置。
【請求項１５】
前記少なくとも１つの他のディスプレイは、前記ディスプレイに表示されるピクチャインピクチャ表示を含む、
請求項１１記載の装置。
【請求項１６】
デジタルスチル写真を見るための装置であって、
デジタルスチル写真を表し、該写真が撮影された時間又は該写真が撮影された場所をそれぞれ示すタイムスタンプ又はロケーションスタンプを有する少なくとも１つのデジタルデータファイルを入力するためのデータ入力手段と、
前記少なくとも１つのデジタルデータファイルを対応するデジタルスチル写真のレンダリングのためのディスプレイに入力するデジタルスチル写真レンダリング手段と、
前記タイムスタンプ及びロケーションスタンプの少なくとも１つに基づいて環境特性を変更するための信号を発生する信号発生手段と、
を有することを特徴とする装置。
【請求項１７】
デジタルスチル写真を見るための方法であって、
デジタルスチル写真を表し、該写真が撮影された時間又は該写真が撮影された場所をそれぞれ示すタイムスタンプ及びロケーションスタンプの少なくとも１つを有する少なくとも１つのデジタルデータファイルを入力するステップと、
前記デジタルスチル写真を表示するステップと、
前記タイムスタンプ及びロケーションスタンプの少なくとも１つに基づいて環境の特性を変更するステップと、
を含むことを特徴とする方法。
【請求項１８】
前記変更するステップは、前記ディスプレイに近い領域における環境照明を変更するステップを含む、
請求項１７記載の方法。
【請求項１９】
前記環境照明を変更するステップは、前記デジタル写真が撮影された時間についての照明の再生及び前記デジタル写真が撮影された場所についての照明の再生の少なくとも１つを有する、
請求項１８記載の方法。
【請求項２０】
前記変更するステップは、前記ディスプレイに近い領域で音声を再生するステップを含む、
請求項１７記載の方法。
【請求項２１】
再生された音声は、前記デジタル写真が撮影された時間及びデジタル写真が撮影された場所の少なくとも１つの特性である、
請求項２０記載の方法。
【請求項２２】
前記変更するステップは、前記ディスプレイに近い領域で少なくとも１つの他のディスプレイを制御するステップを含む、
請求項１７記載の方法。
【請求項２３】
前記制御するステップは、前記デジタル写真が撮影された時間での履歴上の期間を表す前記少なくとも１つの他のディスプレイのしるしを表示するステップを含む、
請求項２２記載の方法。
【請求項２４】
前記制御するステップは、前記デジタル写真が撮影された地理的な場所を表す前記少なくとも１つの他のディスプレイのしるしを表示するステップを含む、
請求項２２記載の方法。
【請求項２５】
前記制御するステップは、前記少なくとも１つの他のディスプレイで広告を表示するステップを含む、
請求項２２記載の方法。
【請求項２６】
画像をレンダリングするための表示部分と、
前記表示部分と分離され、前記表示部分に近い領域を照明して前記領域における照明を変えるための照明手段と、
を有することを特徴とするディスプレイ。
【請求項２７】
オーディオ再生手段に近い領域で音声を再生するオーディオ再生手段と、
前記領域を照明して前記領域における照明を変化させる照明手段と、
を有するスピーカ。
【発明の詳細な説明】
【技術分野】
【０００１】
本発明は、デジタル写真の視聴全般に関し、より詳細には、写真撮影された時間及び写真撮影された場所の少なくとも一方又は両方に基づいてデジタル写真の表示に最も近い領域における周囲の特性を変更する事に関する。
【背景技術】
【０００２】
デジタルカメラは、デジタル写真と関連するデジタルデータファイルをタイムスタンプするための内部クロックを有することが当該技術分野で知られている。タイムスタンプは、デジタル写真が撮影された時間を決定するために有効である。同様に、デジタルカメラは、ＧＰＳ信号を受信するためのＧＰＳ受信機を有することも当該技術分野で知られている。これらのカメラは、デジタル写真に関連するデジタルデータファイルにロケーションスタンプを付加することができる。ロケーションスタンプは、デジタル写真が撮影された位置を決定するために有効である。
【０００３】
さらに、デジタル写真のコレクションを記憶及び見るためのパーソナルコンピュータ、テレビジョン、ウェブタブレット及びパーソナルデジタルアシスタントのような装置が知られている。典型的に、デジタル写真は、家庭環境で見られ、スライドショウで表示される。しかし、かかる装置は、デジタル写真を見た経験（viewing  experience）の価値を高めるタイムスタンプ及び／ロケーションスタンプを利用しない。
【発明の開示】
【発明が解決しようとする課題】
【０００４】
本発明の目的は、デジタルスチル写真のエンリッチビューイング（enriched  viewing）を提供することにある。
【課題を解決するための手段】
【０００５】
したがって、デジタルスチル写真を見るためのシステムが提供される。本システムは、デジタルスチル写真を表し、写真が撮影された時間又は写真が撮影された場所をそれぞれ示す少なくとも１つのタイムスタンプ及びロケーションスタンプを有する少なくとも１つのデジタルデータファイルを入力するデータ入力手段、デジタルスチル写真を表示するためのディスプレイ、少なくとも１つのデジタルデータファイルをディスプレイに入力し、対応するデジタルスチル写真をディスプレイにレンダリングするためにデジタルスチル写真レンダリング手段、タイムスタンプ及びロケーションスタンプの少なくとも１つに基づいて環境の特性を変更するための環境変更手段を有する。
【０００６】
データ入力手段は、メディアドライブに含まれるメディアからの少なくとも１つのデジタルデータファイルをレンダリングするためのメディアドライブとすることができる。メディアドライブは、ＣＤプレーヤ、ＤＶＤプレーヤ、フロッピー（登録商標）ドライブ、及びデジタルカメラカードリーダのうちの１つとすることができる。データ入力手段は、ネットワーク、ストレージデバイス及びデジタルスチルカメラのうちの１つに作用的に接続されるモデムを有することもできる。データ入力手段は、ネットワーク、ストレージデバイス及びデジタルスチルカメラのうちの１つにケーブルを介して作用的に接続されるコネクタを更に有する。データ入力手段は、ネットワーク、ストレージデバイス、及びデジタルスチルカメラのうちの１つに無線で接続されるコネクタを更に有する。
【０００７】
環境変更手段は、照明システムを有することができ、このケースでは、環境特性は、ディスプレイに最も近い領域における環境照明を有する。環境照明システムは、デジタル写真が撮影された時間又はデジタル写真が撮影された位置の少なくとも１つの照明特性を再現するために環境照明（ambient  lighting）を変えることができる。
【０００８】
環境変更手段は、オーディオレンダリングシステム及びこれに作用的に接続される少なくとも１つのスピーカを有し、このケースでは、環境特性は、ディスプレイに最も近い領域におけるオーディオを再生することを含む。再生されたオーディオは、デジタル写真が撮影された時間及びデジタル写真が撮影された位置の少なくとも１つの特性とすることができる。
【０００９】
装置は、ディスプレイに最も近い領域における少なくとも１つの他のディスプレイを更に含んでおり、このケースでは、環境の特性は少なくとも１つの他のディスプレイを有する。１つの他のディスプレイの表示は、デジタル写真が撮影された時間での履歴の期間を表している。１つの他のディスプレイの表示は、デジタル写真が撮影された地理的な位置を表している。環境変更手段は、少なくとも１つの他のディスプレイの少なくとも１つの音声的又は視覚的な広告の少なくとも１つを発生するための広告発生手段を有する。
【００１０】
また、デジタルスチル写真を見るための装置が提供される。この装置は、デジタルスチル写真を表し、写真が撮影された時間又は写真が撮影された位置をそれぞれ示すタイムスタンプ又はロケーションスタンプを有する少なくとも１つのデジタルデータファイルを入力するためのデータ入力手段、少なくとも１つのデジタルデータファイルを対応するデジタルスチル写真のレンダリングためのディスプレイに入力するデジタルスチル写真レンダリング手段、タイムスタンプ及びロケーションスタンプの少なくとも１つに基づいて環境特性を変更するための信号を発生する信号発生手段を有する。
【００１１】
デジタルスチル写真を見るための方法が更に供給される。本方法は、デジタルスチル写真を表し、写真が撮影された時間又は写真が撮影された場所をそれぞれ示すタイムスタンプ又はロケーションスタンプの少なくとも１つを有する少なくとも１つのデジタルデータファイルを入力するステップ、デジタルスチル写真を表示するステップ、及びタイムスタンプ及びロケーションスタンプの少なくとも１つに基づいて環境特性を変更するステップを含む。
【００１２】
変更するステップは、ディスプレイに最も近い領域で環境照明を変更するステップを含んでいる。環境照明の変更は、写真が撮影された時間についての照明又は写真が撮影された位置についての照明の少なくとも１つを再生するステップを含んでいる。
【００１３】
変更するステップは、ディスプレイの最も近い領域でオーディオを再生するステップを含んでいる。再生されたオーディオは、デジタル写真が撮影された時間及びデジタル写真が撮影された位置の少なくとも１つに特徴的である。
【００１４】
また、変更するステップは、ディスプレイに最も近い領域で少なくとも１つの他のディスプレイを制御するステップを含んでいる。制御は、デジタル写真が撮影された時間での履歴の期間を表す１つの他の表示のしるしを表示するステップを有する。また、制御は、デジタル写真が撮影された地理的な位置を表す１つの他の表示のしるしを表示するステップを含む。さらに、制御は、少なくとも１つの他のディスプレイの広告を表示するステップを更に含む。
【００１５】
さらに、画像をレンダリングするための表示部分、表示部分から離れ、表示部分に最も近い領域を照明して上記領域における照明を変えるための照明手段を有するディスプレイが提供される。
【００１６】
なお、さらに、オーディオ再生手段の最も近くの領域で音声を再生するオーディオ再生手段、上記領域を照射して上記領域における照明を変えるための照明手段を有するスピーカが提供される。
【００１７】
また、本発明の方法を実行するためのコンピュータプログラムプロダクト、コンピュータプログラムプロダクトを記憶するためのプログラムストレージデバイスが提供される。本発明の装置及び方法のこれらの特徴、態様及び利点、並びに他の特徴、態様及び利点は、以下の記載、特許請求の範囲及び添付図面に関して良好に理解される。
【発明を実施するための最良の形態】
【００１８】
本発明は、各種のタイプの装置に適用可能であるが、家庭用のテレビジョンの環境で特に有効であることがわかる。したがって、家庭用のテレビジョンへの本発明の適用に制限することなしに、本発明は、かかる環境で記載される。当業者であれば、本発明の方法を実行するために、パーソナルコンピュータ、インターネットに接続されたＣＤ／ＤＶＤプレーヤ、ラップトップコンピュータ、ウェブタブレットコンピュータ、パーソナルデジタルアシスタント、及びデジタルカメラのような他の装置を使用することができることを理解されるであろう。
【００１９】
図１を参照して、デジタルスチルカメラを見るために使用されるシステムの実施の形態の概念図が例示されている。システムは、参照符号１００により一般的に示されている。システム１００は、デジタルスチル写真を撮影するためのデジタルカメラ１０２を含んでいる。この開示のため、デジタルスチル写真の「撮影」は、画像捕捉装置によるシーンの捕捉、該シーンのデジタルデータへの変換を含んでいる。また、デジタルスチル写真を「撮影すること」とは、デジタルカメラ１０２に作用的に接続されるメディアカード又はＣＤのようなストレージデバイス１０４にデジタルデータを記憶することを意味する。デジタル写真を撮影するための画像捕捉装置は、プロセッサ１０６の制御下にあり、好ましくはプロセッサ１０６によりストレージデバイス１０４に作用的に接続されるＣＣＤを含んでいる。画像を捕捉して記憶するためのデジタルカメラの動作は、当該技術分野で公知である。ＪＰＥＧ又はＴＩＦのようなデジタルイメージファイルを記憶するためのデジタルデータの各種フォーマットは、当該技術分野で公知である。
【００２０】
また、デジタルカメラ１０２は、デジタルスチル写真に関連するデジタルデータファイルのタイムスタンプ及び／又はロケーションスタンプを行う手段を有する。典型的に、デジタルカメラ１０２は、複数のデジタル写真を撮影する。タイムスタンプ及びロケーションスタンプは、写真が撮影された時間及び写真が撮影された位置をそれぞれ示す。タイムスタンプ及びロケーションスタンプは、デジタルスチル写真のデジタルデータファイルに添付されるか、又はヘッダに含まれ、それらの両者は当該技術分野で公知である。タイムスタンプは、プロセッサ１０６に作用的に接続されるクロック１０８により供給され、デジタル写真が撮影された日付と同様に時間を含んでいる。クロック１０８は、当該技術分野で公知であるように、その時間を変えて、ロケーションスタンプから決定されるローカルのタイムゾーンを反映するように構成される場合がある。ロケーションスタンプは、プロセッサ１０６に作用的に接続されるＧＰＳ受信機のような位置検出手段１１０により供給される。ＧＰＳ受信機は、ＧＰＳ衛星（図示せず）からのＧＰＳロケーション信号を受け、かかるロケーション信号をプロセッサ１０６に供給するアンテナ１１２を含む。プロセッサ１０６は、かかるロケーションスタンプ及びタイムスタンプを必要であればシステム１００での使用のために適したフォーマットに変換する。スキャニングによるようなデジタル化された写真画像は、本実施の形態で記載される装置及び方法で使用することもできる。しかし、かかるデジタル化された画像は、知られている場合、タイムスタンプ及びロケーションスタンプで手動的にスタンプされる必要がある。
【００２１】
システム１００は、デジタルカメラ１０２からのデジタルデータファイルを直接的又は間接的のいずれかで入力するためのデータ入力手段を有する写真レンダリングシステム２９９を更に含んでいる。写真レンダリング手段２００は、デジタル写真をディスプレイにレンダリング及び表示することができる装置である。デジタル写真は、「オンザフライ」でレンダリングされるか、ストレージ装置から検索される。ストレージ装置は、写真レンダリング装置２００と統合されているか、又は写真レンダリング装置から遠隔にある。デジタル写真は、インターネットアドレスからのようなリモートネットワークを介して検索される。
【００２２】
図２を参照して、写真レンダリング装置２００の実施の形態の概念的な説明が例示される。データ入力手段は、如何なる１以上の装置であり、すなわち、カメラにより撮影されたデジタルデータファイルを見るための写真レンダリング装置２００に入力するための手段であり、かかる手段は、有線又は無線である場合がある。たとえば、データ入力手段は、メディアドライブ２０２に含まれるメディアからのデジタルデータファイルをレンダリングするためのメディアドライブ２０２である。メディアドライバ２０２は、ＣＤプレーヤ、ＤＶＤプレーヤ、フロッピー（登録商標）ディスク、又はデジタルカメラのメディアカードリーダである。代替的に、データ入力手段は、ネットワーク、ストレージデバイスに作用的に接続されるか、又はデジタルスチルカメラ１０２に直接的に接続されるモデム２０４である。デジタルデータファイルは、ケーブル又は電話線のような有線通信リンク、若しくは衛星又はセルラーフォンネットワークのような無線技術を通してモデム２０４に送信される。また、データ入力手段は、ネットワーク、ストレージデバイス、又はデジタルスチルカメラに直接的にケーブル２０８を通して作用的に接続されるコネクタ２０６である。コネクタ２０６は、ＵＳＢ、Ｂｌｕｅｔｏｏｔｈ及びＷｉＦｉコネクションをサポートする場合もある。さらに、コネクタ２０６は、おそらくデジタルスチル写真を撮影可能な機能を有するセルラ電話からのデジタル写真のセルラトランスミッションを受けることが可能な場合がある。本装置２００は、デジタルスチル写真に対応するデジタルデータファイルのような、プログラム命令及びデータを記憶するためのハードドライブのようなストレージ装置２１０を更に有する。デジタルデータファイルは、以下に記載されるような更なる処理のためにハードドライブ２１０に記憶されるか、最初に記憶されることなしに「オンザフライ」で処理される。また、本装置２００は、命令を装置２００に入力するための、リモートコントロール、キーボード、タッチパッド、マウス、タブレットペン等のような命令入力装置２１２を含んでいる。かかる命令入力装置２１２は、赤外線遠隔制御又は優先キーボードのような有線又は無線通信リンクのいずれかにより装置２００に作用的に接続される。先に記載された装置２００のコンポーネントは、全てプロセッサ２１４の制御下にあることが好ましい。装置２００は、シングルボックス２１６により図２に概念的に示される、１以上のネットワーク／システム／データベース２１６に接続されるのが好ましい。
【００２３】
図３を参照して、本発明の方法を実施するためのシステムが示されており、システムは、参照符号３００により一般に示されている。システム３００のコンポーネントは、装置２００とは個別に示されているが、全体的又は部分的にこれらと一体化して形成される場合もある。さらに、システム３００のコンポーネントは、図３に示されるように、家の部屋３０１のような構造で統合的に形成されるか、又はスタンドアロンで形成される。システム３００は、デジタル写真を表示するためのディスプレイ３０２を含む。ディスプレイ３０２は、テレビジョン、モニタ、コンピュータディスプレイ、ＬＣＤスクリーン等である。写真レンダリング装置２００は、デジタルデータファイルをディスプレイ３０２で対応するデジタルスチル写真のレンダリングのためのディスプレイに入力する。
【００２４】
システム３００は、タイムスタンプ及びロケーションスタンプの少なくとも１つに基づいて環境の特徴を変更するための環境変更手段を更に含む。１以上の環境の特徴の変更は、デジタルスチル写真を見た経験（viewing  experience）の価値を高める（enrich）役割をする。環境の変更手段は、プロセッサ２１４のような写真レンダリング装置２００で統合的に形成されるか、写真レンダリング装置２００から遠隔にされる場合があり、写真レンダリング装置２００に作用的に接続されるネットワーク／システム／データベース２１６を含む。この開示のため、環境の特性は、ディスプレイ３０２に最も近い領域で見られるか又は感知されるものである。かかる環境の特徴は、ディスプレイ３０２に最も近くにある領域における視覚的及び聴覚的な変化に関して図示及び記載されているが、かかる環境の特徴は、例示として与えられており、本発明の範囲又は精神に制限されない。たとえば、環境の特性は、ディスプレイに最も近い領域で再現される香り（odor）である。１以上の環境の特徴の変更は、ディスプレイ３０２のデジタルスチル写真を見つつ、システム３００により自動的に実行されるが、装置２００又は命令入力装置２１２の「エンリッチビューイング」ボタンを選択するような、視聴者により手動的な命令に応答して実行されるのが好ましい。
【００２５】
第一の実施の形態では、環境特性は、ディスプレイに最も近い領域における環境の照明を有する。この実施の形態では、環境の変更手段は、ディスプレイ３０２に最も近い領域における照明の色及び／又は強度を設定する照明システム２１６ａを有する。かかる照明システム２１６ａは、オランダ特許出願シリアル番号ＮＬ０２０６２８、ＮＬ０２０６２７及びＮＬ０３０２５８に開示される（それぞれ代理人事件番号６０９５１１、６０９５１５及び６１０５３８）。先に開示されるように、照明システム２１６ａは、写真レンダリング装置２００と統合して形成されるか、写真レンダリング装置２００から離れて形成される。
【００２６】
好ましくは、環境照明システム２１６ａは、デジタル写真が撮影された時間及びデジタル写真が撮影された位置の少なくとも１つについて照明を再生するために環境照明を変える。環境照明システム２１６ａは、部屋３０１のようなディスプレイに最も近い領域に配置される１以上の照明手段を含む。照明手段は、部屋を通して配置される１以上のＬＥＤであることが好ましい。ＬＥＤは、部屋の壁に配置されるか、システム３００のコンポーネントに配置される。たとえば、ＬＥＤ３０４は、ディスプレイ３０２の表示部分３０２ａの周りのフレームに配置される。別の例では、ＬＥＤ３０６は、部屋３０１におけるスピーカ３０８に配置される。代替として、照明手段は、他のタイプの照明装置に配置される。第一の例として、デジタルスチル写真がハワイで撮影されたことをロケーションスタンプが示す場合、照明システム２１６ａは、ＬＥＤを介して、ハワイで見られる光のタイプを再生成する。さらに、表示されているデジタルスチル写真がハワイにおけるサンセットの間に撮影されたことをタイムスタンプが示す場合、照明システム２１６ａは、ハワイからのサンセットを再生成する。したがって、ディスプレイ３０２に表示されているデジタル写真に対応する部屋３０１でローカルの環境が生成され、これによりデジタル写真を見た人の見た経験の価値を高めることができる。照明システム２１６ａ及び／又は写真レンダリング装置２００は、当該技術分野で知られている有線又は無線手段により、データベース２１６ｂ又はインターネット２１６ｃのようなリモートデータベースにアクセスし、所与の位置及び／又は時間について再生成されるべき光状態を決定する。かかる判定は、ユーザによりリストから自動的に決定されるか、又は手動的に選択される。
【００２７】
別の実施の形態では、環境の特徴は、それ自身によるか又は照明における変化との組み合わせのいずれかで、ディスプレイに最も近い領域でオーディオを再生するのを含む。本実施の形態では、環境変換手段は、オーディオレンダリングシステム２１６ｄ及びこれに作用的に接続される少なくとも１つのスピーカ３０８を有している。たとえば、ハワイで撮影された写真がディスプレイ３０２に表示されているとき、スピーカは、ハワイアン音楽、波、会話の言語の音声を再生する。さらに、再生されたオーディオは、タイムスタンプに基づく場合がある。たとえば、デジタル写真が８年前に撮影されたことをタイムスタンプが示す場合、オーディオレンダリングシステム２１６ｄは、デジタル写真が撮影された時間期間で人気のあった歌を再生する場合がある。オーディオレンダリングシステム２１６ｄ及び／又は写真レンダリング装置２００は、当該技術分野で公知の有線又は無線手段により、データベース２１６ｂ又はインターネット２１６ｃのようなリモートデータベースにアクセスし、所与の位置及び／又は時間について再生されるべき対応するオーディオを決定する。かかるオーディオは、ユーザによりリストから自動的に選択されたか又は手動的に選択される場合がある。
【００２８】
更に別の実施の形態では、システム３００（又は装置２００）は、たとえば部屋３０１におけるディスプレイに最も近い領域における少なくとも１つの他のディスプレイ３１０を更に有する。この実施の形態では、環境の特性は、少なくとも１つの他のディスプレイ３１０を有し、部屋３０１での他のディスプレイ３１０で特に画像、ビデオ、広告等を表示す。第一の実施の形態の例では、他のディスプレイ３１０の表示は、デジタル写真が撮影された時間での履歴の期間を表すか、及び／又はデジタル写真が撮影された地理的な位置を表すことができる。たとえば、ディスプレイ３０２で見られているデジタル写真がハワイで撮影されたと判定された場合、他の表示は、並みの画像又はビデオ、若しくはパームツリーを表示する。ディスプレイ３０２で見られたデジタル写真が１９９５年の夏に撮影されたと判定された場合、他のディスプレイ３１０で表示された画像又はビデオは、ヒストリカルイベントが係る期間に生じるような期間から暗示される。他の表示３１０は、部屋３０１の壁にあるか、又は部屋３０１のアイテムであり、画像又はビデオは、そこに投影される。他のディスプレイ３１０に画像又はビデオを生成及び表示するために使用される履歴の情報は、ヒストリカルデータベース２１６ｅに記憶されるか、インターネット２１６ｃを通してのようなヒストリカルデータベースから遠隔的に利用可能である。なおさらに、他のディスプレイは、ディスプレイ３０２の表示部分３０２ａにおけるピクチャ・イン・ピクチャディスプレイ３０２ｂとすることができる。
【００２９】
別の例では、他のディスプレイ３１０は、ディスプレイ３０２で表示されているデジタル写真に含まれるタイムスタンプ又はロケーションスタンプの少なくとも１つに基づいて広告を表示する。この例では、システム３００又は装置２００は、他のディスプレイ３１０又はスピーカ３０８の少なくとも１つに関する音声的又は視覚的な広告の少なくとも１つ生成するための広告生成手段２１６ｆを含む。たとえば、ディスプレイ３０２で見られているデジタル写真がオーランドフロリダで撮影されたことを示す場合、広告生成手段２１６ｆは、ウォルトディズニーワールド又は他のアミューズメントカンパニーの広告を生成又は検索して、他のディスプレイ３１０にそれを表示することができる。さらに、広告生成手段２１６ｆは、ディズニーソングを生成又は検索することができ、ディスプレイ３０２でデジタルスチル写真が見られている間、それをスピーカ３０８で再生することができる。また、タイムスタンプは、広告の表示又は音声を生成するために使用される。たとえば、タイムスタンプは、ディスプレイ３０２で見られているデジタル写真がスプリングブレイクの間にオーランドフロリダで撮影されていることを示す。したがって、広告は、少なくとも１つ又は少なくとも１部の他のディスプレイ３１０で次のスプリングブレイクについて特別のオファーを表示することができる。他のディスプレイ３１０で広告のコンテンツを生成及び表示するために使用される広告の情報は、インターネット２１６ｃを通してのような広告生成手段２１６ｆに記憶されるか、又は広告生成手段から遠隔的に利用可能である。好ましくは、コマーシャル会社は、かかる広告のサービスに加入する。かかる支払いは、それぞれの使用又は地理的な領域についてである。
【００３０】
先に与えられた全ての例では、見られるデジタル写真は、複数のデジタル写真を含むスライドショウの一部である。かかる状況では、再生成された照明及び１つの写真から再生された音声又は画像から、見られている別のものへのスムーズな遷移であることが好ましい。かかる遷移は、見られている１つの写真に関連する照明、画像、及び／又は音声を次第に弱まらせること、見られている次の写真に関連する照明、画像、及び／又は音声を次第に強まらせることを含んでいる。フェーディングは、通常の環境の条件へのものであるか、通常の環境の条件からのものであるが、よりスムーズな遷移を提供する室内の照明、画像及び／又は音声へのものであるか、室内の照明、画像及び／又は音声からのものである場合がある。遷移の量を最小にするため、スライドショウにおける写真のグループは、システム３００（又は装置２００のような、そのコンポーネント）により分析され、類似のタイムスタンプ及び／又はロケーションスタンプを含み、かかるサブグループにおける写真を連続的に表示するサブグループに写真をグループ化される。このようにして、より大きな遷移は、サブグループ間でのみ必要であって、サブグループにおける写真間の遷移は、除去又は低減される。
【００３１】
本発明の方法は、コンピュータプログラムにより実行されるために特に適しており、かかるコンピュータソフトウェアプログラムは、本方法の個々のステップに対応するモジュールを含むことが好ましい。かかるソフトウェアは、勿論、集積されたチップ又は周辺装置のようなコンピュータ読取り可能な媒体に実施することができる。
【００３２】
本発明の好適な実施の形態であると考えられる内容が図示及び記載されたが、勿論、様々な形式又は詳細での変更及び変形は、本発明の精神から逸脱することなしに容易に行われる。したがって、本発明は、記載及び例示される正確な形式に制限されないが、特許請求の範囲に含まれる全ての変更をカバーするとして解釈される。
【図面の簡単な説明】
【００３３】
【図１】デジタル写真のエンリッチビューイングのための装置、並びにロケーションスタンプ及びタイムスタンプの少なくとも１つを有するデジタル写真を捕捉するためのデジタルカメラを例示する概念図である。
【図２】図１の装置の概念図を例示する図である。
【図３】図１の装置を有するデジタル写真のエンリッチビューイングのためのシステムの実施の形態を例示する概念図である。
【図１】
2007502035.tif 000003
【図２】
2007502035.tif 000004
【図３】
2007502035.tif 000005
【国際調査報告】
2007502035.tif 000006
2007502035.tif 000007